(57)【要約】【課題】レンズ基材を装着するときに、レンズ基材のレンズ光学面を傷つけることのない作業性に優れたレンズ保持用ラックおよびレンズ製造方法を提供する。【解決手段】レンズ保持用ラック１は、レンズ基材の外周部に下方から接触してレンズ基材をレンズ装着位置に位置規制する下方保持部材１０と、レンズ基材の外周部に水平方向の一方から接触してレンズ基材をレンズ装着位置に位置規制するように回転可能に構成された側方回動保持部材２０と、レンズ基材の外周部に水平方向の他方から接触してレンズ基材をレンズ装着位置に位置規制する側方固定保持部材３０と、側方回動保持部材２０をレンズ基材側に押圧可能な付勢部材２２と、を有するレンズ保持ユニット８を備える。側方回動保持部材２０はその回動中心Ｃからレンズ装着位置側へ延びる保持アーム部２０ａと保持アーム部２０ａよりも上方に延びる重量バランス部２０ｂとを備え、側方回動保持部材２０はその重心Ｇが重量バランス部２０ｂ側に位置し、レンズ基材の非保持状態では重力により回動する。【選択図】図４
2012242832.tif 000002
【特許請求の範囲】
【請求項１】
レンズ基材の外周部に下方から接触してレンズ基材をレンズ装着位置に位置規制する下方保持部材と、
レンズ基材の外周部に水平方向の一方から接触してレンズ基材をレンズ装着位置に位置規制するように回転可能に構成された側方回動保持部材と、
レンズ基材の外周部に水平方向の他方から接触してレンズ基材をレンズ装着位置に位置規制する側方固定保持部材と、
前記側方回動保持部材をレンズ基材側に押圧可能な付勢部材と、
を有するレンズ保持ユニットを備えており、
前記側方回動保持部材は、該側方回動保持部材の回動中心からレンズ装着位置側へ延びる保持アーム部と、該保持アーム部とは反対側に延び且つ保持アーム部よりも上方に延びる重量バランス部とを備え、さらに前記側方回動保持部材は、該側方回動保持部材の重心が前記重量バランス部側に位置し、前記レンズ基材を保持していない状態では重力により所定方向に回動するように構成されたことを特徴とするレンズ保持用ラック。
【請求項２】
前記側方回動保持部材は、前記レンズ基材を装着していない状態では、前記重量バランス部の重さにより回転して前記保持アーム部が前記側方固定保持部材側でレンズ装着位置から外れた位置に退避し、前記レンズ基材を保持している状態では、前記重量バランス部が前記付勢部材に当接して付勢力が付与されるように構成されたことを特徴とする請求項１に記載のレンズ保持用ラック。
【請求項３】
前記重量バランス部は板ばねで構成された付勢部材に対して対面配置され且つ重力によって付勢部材とは離れる方向に回転可能に構成されたことを特徴とする請求項１または２に記載のレンズ保持用ラック。
【請求項４】
多数のレンズ基材を略垂直に並べて保持するレンズ保持用ラックを用いて、塗布液槽内にレンズ基材を所定時間浸漬処理した後、乾燥処理して前記レンズ基材の光学面に膜を形成するレンズ製造方法であって、
前記レンズ保持用ラックのレンズ保持ユニットにおいて回動可能に設けられる側方回動保持部材を、該側方回動保持部材の回動中心からレンズ装着位置側へ延びる保持アーム部とは反対側に延びる重量バランス部側に重心を位置させて、前記レンズ基材を保持していない状態において重力により前記保持アーム部を前記レンズ装着位置から外れる位置に回動させることを特徴とするレンズ製造方法。
【発明の詳細な説明】
【技術分野】
【０００１】
本発明はレンズ保持用ラックおよびレンズ製造方法に関し、特に、多数のレンズ基材を略垂直に立てた状態で保持するレンズ保持用ラックおよびレンズ製造方法に関する。
【背景技術】
【０００２】
従来、例えば眼鏡用レンズを製造するときに、そのレンズ基材にハードコート膜や反射防止膜などの膜を設ける際には、多くの場合、浸漬法を用いて眼鏡用レンズの製造が行われている。この浸漬法の処理は、成膜用の塗布液が貯留された塗布液槽内にレンズ基材を所定時間浸漬させるものであり、所定時間浸漬させた後、塗布液槽から引き上げ、その後、レンズ基材を乾燥させることにより行われる。通常、この処理においては、多数のレンズを一つのレンズ保持用ラックに保持させた状態で浸漬工程ならびに乾燥工程が実施される。
【０００３】
このレンズ基材の処理工程に用いられるレンズ保持用ラックは、多数のレンズ保持具を備えており、多数枚のレンズ基材を略垂直に立て且つレンズ同士を接近させた状態で保持する構造が採られている。従来、この種のレンズ保持具ならびにレンズ保持用ラックには、例えば、特許文献１および２に示されているような構造のものがある。
【０００４】
特許文献１に開示されたレンズ保持具を図１０に示す。図１０に示すレンズ保持具１００は、レンズ基材Ｌの外周端面に接触する３つの保持先端部１４１，１４２，１４３を有する保持用アーム１１１，１１２を備えている。このレンズ保持具１００の保持用アーム１１１，１１２は、レンズ基材Ｌを下方並びに左右両側から支持するようにその全体が弾性力を有する構造となっている。すなわち、この保持用アーム１１１，１１２の弾性力によってレンズ基材Ｌを保持可能としている。
なお、このレンズ保持具１００は、上端のフック部分１１３をレンズ保持用ラックの横棒につり下げて多数並べられるようにして使用される。
【０００５】
また、従来においては、レンズ保持用ラックとして図１１および図１２に示すような構造のものもある。図１１に示すレンズ保持用ラック２００は、レンズ基材Ｌに下方から接触する下方保持部材１１０と、レンズ基材Ｌの水平方向の一方から接触する回転動可能な側方回動保持アーム１２０と、レンズ基材Ｌの水平方向の他方から保持する側方固定保持アーム１３０と、さらに側方回動保持アーム１２０を付勢するコイルばね２１０とを備える１つの保持ユニットＵが、図１２に示すようにラック本体２０１に複数並べられた構成となっている。
なお、側方回動保持用アーム１２０をレンズ基材側に付勢するコイルばね２１０は、ラック本体２０１と側方回動保持用アーム１２０との間に引っかけるように装着されており、側方回動保持用アーム１２０に対して常に付勢力を加えるように構成されている。
そして、図１２に示すように、このレンズ保持用ラック２００は、多数のレンズ基材Ｌを接近させた状態で保持するように、保持ユニットＵ同士が接近して設けられている。
【先行技術文献】
【特許文献】
【０００６】
【特許文献１】特開２００３−７１６５０号公報
【特許文献２】特開２００６−１９９３８７号公報
【発明の概要】
【発明が解決しようとする課題】
【０００７】
図１０に示すような従来のレンズ保持具１００においては、保持用アーム１１１，１１２そのものが弾性体として構成されているために、レンズ基材Ｌを保持するときは、レンズ基材Ｌを保持しながら保持用アーム１１１，１１２をその弾性力に抗して拡げて装着する。この両アーム１１１，１１２の開き動作には、両アームとも常に弾性力が作用しているために、両手を使って拡げながらレンズ基材Ｌを挟み込まなければならず、作業性が悪いという問題があった。また、レンズに傷等を付けないようにするには、両アームがレンズにぶつからないよう細心の注意を払わなければならず、難しい作業となっていた。また、レンズ基材Ｌを取付けたレンズ保持具１００を、さらにレンズ保持用ラックに取付ける作業があり、この取付け作業時にもレンズ損傷に注意を払わなくてはならないという問題があった。
【０００８】
一方、図１１および図１２に示した形態では、レンズ保持用ラック２００にレンズ基材Ｌを直接装着できるという点で、図１０に示す形態にくらべて優れている。しかし、この従来のレンズ保持用ラック２００においても、下記のような課題があった。
【０００９】
すなわち、レンズ保持用ラック２００により一度に多くのレンズ基材Ｌを処理できるように、保持ユニットＵ同士の間隔が小さく設定されているために、多数の側方回動保持アーム１２０および側方固定保持アーム１３０がレンズ装着位置Ａに張出した状態でラック左右方向に並んだ構造となっている。
ちなみに、レンズ装着位置とは、レンズ保持用ラックにレンズ基材が装着される前であれば、レンズ基材の装着が想定されている位置をいい、レンズ基材が装着された後であれば、実際に装着されているレンズ基材の位置をいう。
上記のような構造において、例えば図１２に示すように、最初の保持ユニットＵ（図１２において最も右側の保持ユニットＵ）にレンズ基材Ｌを装着するときに、最右側の保持ユニットＵの側方回動保持アーム１２０と、その左側に設置されている保持ユニットＵの側方回動保持アーム１２０との間の非常に狭い間隔に手指を挿入してレンズ基材Ｌの取付け作業をしなければならない。その上、レンズ装着作業時にレンズ光学面を傷つけないようにするためには、レンズ基材Ｌと保持用アームとが不測の接触をしないように注意深く装着作業をしなければならないため、非常に難しい作業となっており、レンズ製造における大きな課題であった。
【００１０】
本発明は、前述した事情に鑑みてなされたものであり、その目的は、レンズ基材を装着するときに、レンズ基材と保持アームとの不測の接触を回避でき、レンズ光学面を傷つけるおそれのない作業性に優れたレンズ保持用ラックおよびレンズ製造方法を提供することにある。
【課題を解決するための手段】
【００１１】
上記目的を達成するために、本発明の第１の態様は、
レンズ基材の外周部に下方から接触してレンズ基材をレンズ装着位置に位置規制する下方保持部材と、
レンズ基材の外周部に水平方向の一方から接触してレンズ基材をレンズ装着位置に位置規制するよう回転可能に構成された側方回動保持部材と、
レンズ基材の外周部に水平方向の他方から接触してレンズ基材をレンズ装着位置に位置規制する側方固定保持部材と、
前記側方回動保持部材をレンズ基材側に押圧可能な付勢部材と、
を有するレンズ保持ユニットを備えており、
前記側方回動保持部材は、該側方回動保持部材の回動中心からレンズ装着位置側へ延びる保持アーム部と該保持アーム部とは反対側に延び且つ保持アーム部よりも上方に延びる重量バランス部とを備え、さらに前記側方回動保持部材は、該側方回動保持部材の重心が前記重量バランス部側に位置し、前記レンズ基材を保持していない状態では重力により所定方向に回動するように構成されたことを特徴とするレンズ保持用ラックである。
【００１２】
本発明の第２の態様は、上記第１の態様に記載の構成に加えて、
前記側方回動保持部材は、前記レンズ基材を装着していない状態では、前記重量バランス部の重さにより回転して前記保持アーム部が前記側方固定保持部材側でレンズ装着位置から外れた位置に退避し、前記レンズ基材を保持している状態では、前記重量バランス部が前記付勢部材に当接して付勢力が付与されるように構成されたことを特徴とする。
【００１３】
本発明の第３の態様は、上記第１または第２の態様に記載の構成に加えて、
前記重量バランス部は板ばねで構成された付勢部材に対して対面配置され且つ重力によって付勢部材とは離れる方向に回転可能に構成されたことを特徴としている。
【００１４】
本発明の第４の態様は、
多数のレンズ基材を略垂直に並べて保持するレンズ保持用ラックを用いて、塗布液槽内にレンズ基材を所定時間浸漬処理した後、乾燥処理部にて乾燥処理して前記レンズ基材の光学面に膜を形成するレンズ製造方法であって、
前記レンズ保持用ラックのレンズ保持ユニットにおいて回動可能に設けられる側方回動保持部材を、該側方回動保持部材の回動中心からレンズ装着位置側へ延びる保持アーム部とは反対側に延びる重量バランス部側に重心を位置させて、前記レンズ基材を保持していない状態において重力により前記保持アーム部を前記レンズ装着位置から外れる位置に回動させることを特徴とするレンズ製造方法。
【発明の効果】
【００１５】
本発明の第１の態様によれば、レンズ保持ユニットにレンズ基材を装着する前においては、側方回動保持部材は重量バランス部の重さにより所定の方向に回転駆動することができるので、特別な回動系を設けなくてもこの側方回動保持部材を所定の位置に自動的に移動させておくことができ、レンズ装着位置を作業スペースとして広く開けることが可能となり、レンズ装着位置へのアプローチがし易くなる。また、レンズ基材を装着するときに、ばね部材の付勢力に抗する必要がないため側方回動保持部材をストレス無く容易に開くことができる。したがって、レンズ基材を取付けるときの側方回動保持部材の操作性が良くなりレンズ基材取付け性を向上させることができる。
【００１６】
本発明の第２の態様によれば、レンズ基材が装着されていな状態では、保持アーム部が重量バランス部の重さによりレンズ装着位置から外れた位置に退避しているので、レンズ保持ユニットが多数並んで配置された構造であってもレンズ基材を装着するときに、保持アーム部が邪魔にならずレンズ装着位置へのレンズ挿入のための作業スペースを確保することができ、レンズ基材を装着するときの作業性が極めて優れている。
また、側方回動保持部材は、重量バランス部の重さにより回転力が生じているので、レンズ基材を取り外すだけで、保持アーム部が特別な駆動手段を設けなくとも自動的に回動してレンズ装着位置から外れた位置（待機位置）に移動することができる。
【００１７】
本発明の第３の態様によれば、重量バランス部が板ばねで構成され付勢部材とは対面配置され重力によって付勢部材とは離れ方向に回転可能に構成されているので、側方回動保持部材がフリー状態において自動的に回転して所定位置に動くことができるだけでなく、両部材の接触位置の設定もし易く、押圧力が付与される位置や強さの調節もし易く、組み付け性やメンテナンス性が極めて良い。
【００１８】
本発明の第４の態様によれば、レンズ基材をレンズ保持ユニットに装着する前に、側方回動保持部材は重力によって自動的に保持アーム部がレンズ装着位置から外れるように回動しているので、レンズ基材をレンズ保持ユニットに装着する時の操作スペースを確保することができ、レンズ基材を容易かつ確実にレンズ保持用ラックに取付けることができる。したがって、レンズ基材装着に際して、レンズ保持ユニットの操作性が向上するため、装着時間の短縮化ができるだけでなく、装着操作を正確に行うことができる。そのため、保持部材等によるレンズ表面の損傷を回避することができるレンズ製造方法を提供することができる。すなわち、生産性に優れかつ歩留まりの良いレンズ製造方法を提供することができる。
また、レンズ装着作業時に、重量バランス部が付勢部材に当接するまで側方回動保持部材をストレスが無く容易に開くことができるので、レンズ基材を取付けるときの操作性が各段に向上する。また、レンズ基材の装着最終段においては、側方回動保持部材には付勢部材による付勢力が確実に付与されるので、レンズ基材をしっかりと固定することができる。
【図面の簡単な説明】
【００１９】
【図１】本発明に係るレンズ保持用ラックの一実施形態の要部側面図である。
【図２】図１に示すレンズ保持用ラックの一部正面図である。
【図３】図１に示すレンズ保持用ラックの一部平面図である。
【図４】本発明に係るレンズ保持用ラックの一実施形態の要部斜視図である。
【図５】図１に示すレンズ保持用ラックの動作を説明するための概略側面図である。
【図６】図１に示すレンズ保持用ラックの動作を説明するための概略側面図である。
【図７】図１に示すレンズ保持用ラックの動作を説明するための概略側面図である。
【図８】図１に示すレンズ保持用ラックの動作を説明するための概略側面図である。
【図９】本発明に係るレンズ保持用ラックを用いたレンズ製造方法の一実施形態の概略説明図である。
【図１０】従来のレンズ保持部材を示す側面図である。
【図１１】従来のレンズ保持用ラックの側面図である。
【図１２】従来のレンズ保持用ラックの正面図である。
【発明を実施するための形態】
【００２０】
以下、本発明の一実施形態について説明する。
まず、本発明にかかるレンズ保持用ラックおよびレンズ製造方法の一実施形態について、図１〜図９を参照しながら詳細に説明する。
【００２１】
本実施形態におけるレンズ保持用ラック１は、その全体構造については、例えば図９に示すように、ラック本体２に多数のレンズ保持ユニット８（８１，８２，８３・・８ｎ）が並んだ構造となっている。ラック本体２は、ラック側面支持枠３と、ラック垂直枠４と、ラック底面枠５と、ラック前方水平枠６と、ラック後方水平枠７と、を用いて構成されている。ラック側面支持枠３は、水平方向（図１において左右方向）に延出している。ラック垂直枠４は、上下方向に延出している。ラック底面枠５は、ラック垂直枠４の下側において水平方向に延出している。これらのラック側面支持枠３、ラック垂直枠４およびラック底面枠５は、それぞれ左右一対（図１においては紙面垂直方向で、図２においては左右方向）の組み合わせで設けられている。ラック前方水平枠６は、図１に示すＯＥ側（レンズ基材の取り付け作業を行う作業者の立ち位置に近い側）において、左右一対のラック側面支持枠３，３を繋ぐように、それらの間に水平に掛け渡されている。ラック後方水平枠７は、図１に示すＯＥ側と反対側（作業者の立ち位置から見て奥側）において、左右一対のラック側面支持枠３，３を繋ぐように、それらの間に水平に掛け渡されている。
【００２２】
各レンズ保持ユニット８は、レンズ基材Ｌの外周部に下方から接触してレンズ基材Ｌをレンズ装着位置Ａに位置規制する下方保持部材１０と、レンズ基材Ｌの外周部に水平方向の一方から接触してレンズ基材Ｌをレンズ装着位置Ａに位置規制する回転動可能に構成された側方回動保持部材２０と、レンズ基材Ｌの外周部に水平方向の他方から接触してレンズ基材Ｌをレンズ装着位置Ａに位置規制する側方固定保持部材３０と、さらに、側方回動保持部材２０をレンズ基材側に押圧可能な付勢部材２２と、を有している。下方保持部材１０は、左右一対のラック底面枠５，５を連結するように設けられている。
【００２３】
なお、図１においは、ラック垂直枠４に対して一方側（図１において右側）のみを図示したものであり、実際のレンズ保持用ラック１は、図１に示すレンズ保持ユニット８（８１，８２，８３・・８ｎ）がラック垂直枠４を挟む位置に２列設けられた構造である。すなわち、図９に示す正面構造の裏側にも同じレンズ保持ユニット８の列が設けられている。
【００２４】
本実施形態におけるレンズ保持ユニット８の下方保持部材１０は、前述のように、左右一対のラック底面枠５，５を連結するように配置されており、図２および図３に示すように、横断面形状がＬ字形状の部材である。
そして、下方保持部材１０は、その上端縁１０ｅが凹凸を交互に有する鋸歯形状になっている。したがって、一つのレンズ基材Ｌの外周部を上端縁１０ｅの一つの凹み部分にて保持することができるので、所定間隔（レンズ保持ユニット８の間隔）で多数のレンズ基材Ｌの下端を保持することができる。
【００２５】
また、各レンズ保持ユニット８の側方固定保持部材３０は、図３および図４に示すように、保持アーム３０ａと、取付け部３０ｂと、を備えている。保持アーム３０ａは、取付け部３０ｂから下方に延出され且つ前方側に屈曲し先端に適宜凹みを有する先端部３０ｅを備えている。取付け部３０ｂは、ラック本体２に取り付けられる部分である。側方固定保持部材３０は、保持アーム３０ａの先端部３０ｅの凹み部分によって、レンズ基材Ｌの外周部を凹み部分に受容してレンズ厚み方向に位置規制ができるように構成されている。
なお、取付け部３０ｂは、固定ネジ２９によってラック後方水平枠７（作業者が位置する作業者側位置ＯＥに対して後方側に位置する水平枠）に各レンズ保持ユニット８の間隔で固定されている。
【００２６】
本実施形態においては、各レンズ保持ユニット８の側方回動保持部材２０は、図１および図４に示すように、全体に略棒状の部材にて構成されている。側方回動保持部材２０は、保持アーム部２０ａと、重量バランス部２０ｂと、回転胴部２０ｄと、を備えている。保持アーム部２０ａは、回転胴部２０ｄから一方側に延出している。保持アーム部２０ａは、前述の側方固定保持部材３０と同様に、その先端部分がラック後方側（レンズ基材側）に屈曲し先端に凹み部分を有する先端部２０ｅを備えている。重量バランス部２０ｂは、回転胴部２０ｄから保持アーム部２０ａとは若干の傾斜を持って反対側に延出している。回転胴部２０ｄは、側方回動保持部材２０の回動中心Ｃを構成するように円柱状に形成されている。
【００２７】
保持アーム部２０ａは、ラック本体２に取り付けられた状態において、回転胴部２０ｄからレンズ装着位置Ａ側に延出するように配置される。これに対して、重量バランス部２０ｂは、ラック本体２に取り付けられた状態において、保持アーム部２０ａよりも上方に延出するように配置される。この重量バランス部２０ｂは、保持アーム部２０ａに比べて幅ならびに厚みが大きく構成されてその重量が大きく構成されている。
したがって、側方回動保持部材２０はその重心Ｇが重量バランス部２０ｂ内にある。
【００２８】
また、側方回動保持部材２０のラック本体２への取付けは、回転保持プレート４０を介してラック前方水平枠６に固定ネジ２８にて取り付けられている。この回転保持プレート４０は、ラック前方水平枠６に沿って延び且つ固定ネジ２８が貫通する孔を備える取付け部４０ｂと、ラック前方水平枠６から張出すように半円形に延出された回動保持部４０ａとからなる側面視で略Ｊ字形状の板状の部材である。
【００２９】
そして、回転保持プレート４０の回動保持部４０ａには、その湾曲方向に沿って長孔の開口４０ｃが形成されており、回動保持部４０ａの先端縁に矩形状の切り欠き部４０ｅが形成されている。すなわち、開口４０ｃには側方回動保持部材２０のアーム部２０ａが挿入されることで回動保持部４０ａの湾曲面内側に側方回動保持部材２０の回転胴部２０ｄが回転自在に嵌合される。また、切り欠き部４０ｅには、側方回動保持部材２０の重量バランス部２０ｂが受容される。
【００３０】
また、レンズ保持ユニット８の付勢部材２２は、固定ネジ２８が貫通する取付け孔２２ｃを備える平坦な取付け部２２ｂと若干湾曲してラック上方に延出された押圧部アーム２２ａとからなる側面視で略Ｌ字形状の板ばねにて構成されている。そして付勢部材２２は、固定ネジ２８によって、回転保持プレート４０と一緒にラック前方保持枠６に固定されている。
【００３１】
このように本実施形態においては、付勢部材２２は、重量バランス部２０ｂに対向して離れて配置された板ばねによって構成されている。そして、重量バランス部２０ｂが付勢部材２２とは対面配置され且つ重力によって付勢部材２２とは離れ方向に回転可能に構成されている。この構成によれば、側方回動保持部材２０はフリー状態において自動的に回転して所定位置に動くことができる。また、付勢部材２２と重量バランス部２０ｂの両部材の接触位置の設定が容易であるとともに、押圧力が付与される位置や強さの調節もし易いため、組み付け性やメンテナンス性が極めて良い。
【００３２】
なお、付勢部材２２においては、図４に示す本実施形態では固定ネジ２８が貫通する取付け孔２２ｃは円形に構成されているが、取付け孔２２ｃの形状を、例えばラック前後方向に沿った長孔形状とすることもでき、この構造によれば、付勢部材２２の取付け位置調節がさらに容易となる。
【００３３】
また、本実施形態においては、図１に示すように、各レンズ保持ユニット８がレンズ基材Ｌを保持しない状態においては、側方回動保持部材２０と付勢部材２２とが離間された取付け構造となっている。
したがって、レンズ基材Ｌを保持しない状態では、保持アーム部２０ａは重量バランス部２０ｂの重さにより付勢部材２２から離れる方向（図５における矢印Ｆ方向）へ回転された状態になっており、レンズ装着位置Ａから外れた位置（待機位置）に退避している。具体的には、保持アーム部２０ａと重量バランス部２０ｂの重さの違いによって、側方回動保持部材２０の重量バランスが全体的にアンバランスになっている。このため、側方回動保持部材２０は、これ全体に重力が作用することにより、重量バランス部２０ｂの重さに引っ張られて一方向に回転する。その結果、保持アーム部２０ａがレンズ装着位置Ａから外れた退避位置へと変位する。このとき、重力によって側方回動保持部材２０が回転する方向は、ＯＥ側から見て保持アーム部２０ａが遠ざかる方向になる。
【００３４】
一方、レンズ基材Ｌを保持する状態においては、側方回動保持部材２０が回転することで、この側方回動保持部材２０と付勢部材２２とが接触してレンズ装着位置Ａ側へ付勢される。図１における二点鎖線にて示すように、重量バランス部２０ｂが付勢部材２２を変形させるように接触することで付勢力が付与される。
【００３５】
このように、各レンズ保持ユニット８にレンズ基材Ｌを装着する前においては、側方回動保持部材２０は重量バランス部２２ｂの重さにより所定の方向に回転されているため、特別な回動系を設けなくてもこの側方回動保持部材２０を所定の位置に自動的に移動させておくことができる。
【００３６】
また、レンズ基材Ｌを装着するときには、側方回動保持部材２０が付勢部材２２の付勢力に抗する必要がないため、ストレス無く容易に開くことができる。したがって、レンズ基材Ｌを取付けるときの側方回動保持部材２０の操作性が良くなりレンズ基材取付け性が向上する。
【００３７】
また、レンズ基材Ｌが装着されていないときには、保持アーム部２０ａが重量バランス部２０ｂの重さによりレンズ装着位置Ａから外れた位置に移動しているので、各レンズ保持ユニット８が多数並んで配置された構造であってもレンズ基材Ｌを装着するときに、保持アーム部２０ａが邪魔にならない。したがって、レンズ装着位置Ａへのレンズ挿入のための作業スペースは確保され、レンズ基材Ｌを装着するときの作業性は極めて良い。
【００３８】
また、側方回動保持部材２０が付勢部材２２から離れた状態にある場合、重量バランス部２０ｂの重さにより側方回動保持部材２０に回転力が生じるため、レンズ基材Ｌを取り外す操作だけで、保持アーム部２０ａが特別な駆動手段を設けなくとも自動的に回動してレンズ装着位置Ａから外れた位置（待機位置）に移動することができる。
【００３９】
以下、本発明に係るレンズ製造方法の一実施形態について、図２および図５〜図９を参照して説明する。
本実施形態におけるレンズ製造方法は、図９に示すように、レンズ保持用ラック１を用いて行われる。
このレンズ製造方法は、レンズ保持用ラック１に多数のレンズ基材Ｌ（図２および図９においてはＬ１，Ｌ２・・・Ｌｎと表記する）を垂直に取り付ける取付け工程Ｓ１と、レンズ保持用ラック１に保持された状態のレンズ基材Ｌを塗布液槽６０内の塗布液６８に所定時間浸漬処理する浸漬処理工程Ｓ２と、浸漬処理工程Ｓ２の後に、乾燥処理部７０にて乾燥処理する乾燥処理工程Ｓ３と、この乾燥処理の後にレンズ基材Ｌをレンズ保持用ラック１から取り外す取外し工程Ｓ４と、を有する。
【００４０】
先ず、レンズ基材Ｌの取付け工程Ｓ１について説明する。
この取り付け工程Ｓ１は多数のレンズ基材Ｌ（Ｌ１，Ｌ２・・・Ｌｎ）をレンズ保持ユニット８（８１，８２・・・８ｎ）に取り付ける工程である。
この取り付け工程Ｓ１においては、レンズ基材取付け前は、図５に示すように、レンズ保持用ラック１の全てのレンズ保持ユニット８において、側方回動保持部材２０の保持アーム部２０ａがレンズ装着位置Ａから外れた上方側に位置している。これは、前述したように、重量バランス部２０ｂにある重心によって回動中心Ｃを中心にして回転モーメントＦが作用することで、側方回動保持部材２０が自動的に移動しているためである。
このようにレンズ装着位置Ａが大きく開いたスペースとなっていることで、レンズ取付け作業を行う作業者の作業側領域ＯＥからレンズ装着位置Ａに至る領域（作業スペース）には邪魔するものが無いオープンスペース状態となっている。
【００４１】
このようなオープンスペース状態において、最初のレンズ基材Ｌ１を装着する。まず、図２に示すように、例えば、レンズ保持用ラック１において最も右側に位置する側方回動保持部材２０に対して、図６に示すように開動操作（図６において矢印Ｒ方向の操作）を行う。この開動操作とほぼ同時にあるいは若干先行させてレンズ基材Ｌ１をレンズ装着位置Ａに近づける。
【００４２】
また、側方回動保持部材２０の開動操作は、その開動操作の終段には重量バランス部２０ｂが付勢部材２２の先端側と特定の押圧点Ｐで当接して押圧力を受けるが、その開動操作の最初から付勢部材２２への当接が生じるまでは全くストレスなく開動操作される。したがって、開動操作においてレンズ固定直前まで作業者の手指に無用な負荷が掛かることが無く極めて円滑な操作を行うことができる。
【００４３】
すなわち、実際には、付勢部材２２による押圧を受けてからさらに開動操作を続け、図７に示すように、レンズ基材Ｌがレンズ装着位置Ａに挿入できるように、保持アーム部２０ａの先端部２０ｅがレンズ基材Ｌ１から若干外れる位置まで開動する。この状態でレンズ基材Ｌ１の外周部の下端部分を下方保持部材１０の先端部１０ｅに、レンズ基材Ｌ１のラック奥側の外周部を側方固定保持部材３０の先端部３０ｅに保持させるとともに、側方回動保持部材２０の開動操作を止めて解放することで保持アーム部２０ａの先端部２０ｅによりレンズ基材Ｌ１の前方側の外周部を保持させる（図８）。
【００４４】
図８に示す状態では、レンズ基材Ｌ１は付勢部材２２の押圧力によってレンズ前後方向（図８においては左右方向）から押さえられ且つ下方から支えられてその所定位置にしっかりと保持されている。
引き続いて、二つ目以降のレンズ基材Ｌを次々に装着していき、全てのレンズ保持ユニット８にレンズ基材Ｌを取り付けてレンズ基材Ｌの取り付け工程Ｓ１を完了する。
【００４５】
このように、本実施形態におけるレンズ基材の取り付け工程Ｓ１では、レンズ基材Ｌをレンズ保持ユニット８に装着する前に、側方回動保持部材２０が付勢されずフリー状態にあると共に、重量バランス部２２ｂの重さによって保持アーム部２２ａがラック内側寄りに移動（レンズ装着位置Ａに保持アーム部２０ａが位置していない）しているので、レンズ取付け操作の為の手指を入れるスペースが確保されている。また、レンズ装着作業時の開き動作に際してストレスが殆ど無く容易に開くことができるので、レンズ基材Ｌを取付けるときの操作性が格段に向上している。
【００４６】
また、レンズ基材Ｌの装着最終段においては、側方回動保持部材２０には付勢部材２２による付勢力が確実に付与されるので、レンズ基材Ｌをしっかりと固定することができる。
これにより、レンズ基材の装着に際して、各レンズ保持ユニット８の操作性が向上することで装着時間の短縮化が達成できるだけでなく、装着操作を正確に行うことができる。そのため、保持部材等によるレンズ表面の損傷を回避することができる。
【００４７】
次に、浸漬処理工程Ｓ２を行う。
この浸漬処理工程Ｓ２は、図９に示すように、多数のレンズ基材（Ｌ１，Ｌ２・・・Ｌｎ）を保持したレンズ保持用ラック１を、塗布液槽６０の中に貯められてその液成分や温度等が管理されている塗布液６８内にレンズ基材（Ｌ１，Ｌ２・・・Ｌｎ）を浸漬する。
このレンズ保持用ラック１は、塗布液６８内にレンズ基材Ｌが所定時間置かれた後、塗布液槽６０から引き上げられる。
【００４８】
次に、乾燥処理工程Ｓ３を行う。
この乾燥処理工程Ｓ３においては、塗布液槽６０から引き上げられたレンズ保持用ラック１が乾燥処理部７０に移動される。
そして、レンズ基材（Ｌ１，Ｌ２・・・Ｌｎ）はレンズ保持用ラック１に保持された状態のまま乾燥処理される。この乾燥処理により、レンズ基材Ｌの光学面に所定の塗膜が形成される。
【００４９】
次に、レンズ基材Ｌの取外し工程Ｓ４を行う。
この取外し工程Ｓ４においては、所定の乾燥処理が行われたレンズ基材Ｌ（Ｌ１，Ｌ２・・・Ｌｎ）を、レンズ保持用ラック１から取り外し、所定の処理工程が終了する。そして、取り外されたレンズ基材（Ｌ１，Ｌ２・・・Ｌｎ）（この状態ではレンズ基材ではなく所定の機能を持ったレンズといえる）は、後工程へと移動される。
一方、レンズ基材（Ｌ１，Ｌ２・・・Ｌｎ）が取り外されたレンズ保持用ラック１は、再び次のレンズ基材Ｌの取付け工程Ｓ１に戻される。
【００５０】
このように本実施形態によれば、前述のように、レンズ基材の取付け工程Ｓ１において、レンズ取付け作業スペースの確保ができことから、容易かつ正確に取付け操作を行うことができる。そのため、レンズ装着時間の短縮化を実現できると共にかつ保持部材などによるレンズ表面や損傷を回避でき、生産性に優れかつ歩留まりの良いレンズ製造方法を提供することができる。
【００５１】
以上、本発明を適用した一実施形態について説明したが、本発明はこれに限るものではない。例えば、側方回動保持部材２０の保持構造や形状については適宜変更でき、また、付勢部材２２の形状や固定構造においても、前記実施形態の板ばねに限らず本発明の技術的範囲内において適宜変更可能である。
【符号の説明】
【００５２】
１    レンズ保持用ラック
２    ラック本体
３    ラック側面支持枠
４    ラック垂直枠
５    ラック底面枠
６    ラック前方水平枠
７    ラック後方水平枠
８（８１，８２・・・８ｎ）    レンズ保持ユニット
１０  下方保持部材
２０  側方回動保持部材
２０ａ  保持アーム部
２０ｂ  重量バランス部
２２    付勢部材（板ばね）
２３    支持軸
３０    側方固定保持部材
Ｌ（Ｌ１，Ｌ２・・・Ｌｎ）    レンズ基材
【図１】
2012242832.tif 000003
【図２】
2012242832.tif 000004
【図３】
2012242832.tif 000005
【図４】
2012242832.tif 000006
【図５】
2012242832.tif 000007
【図６】
2012242832.tif 000008
【図７】
2012242832.tif 000009
【図８】
2012242832.tif 000010
【図９】
2012242832.tif 000011
【図１０】
2012242832.tif 000012
【図１１】
2012242832.tif 000013
【図１２】
2012242832.tif 000014